(57)【特許請求の範囲】
【請求項１】
タッチ操作可能な表示手段であって、第１画面と、該第１画面よりも小さく表示され、ユーザーによる画面上のスライドイン操作により開かれて情報を表示する第２画面とを表示可能な表示手段と、
前記第１画面と前記第２画面の画面内容に相関があるかどうかを予め規定した参照情報を記憶する記憶手段と、
前記表示手段に表示された前記第１画面と前記第２画面の相関の有無を、前記記憶手段に記憶された参照情報に基づいて判定する判定手段と、
前記判定手段により、前記第１画面と前記第２画面に相関があると判定された場合は、前記第２画面のスライドイン操作が途中で解除された場合も前記第２画面を開いて表示し、相関がないと判定された場合は、前記第２画面のスライドイン操作が解除されると、前記第２画面をスライドイン操作前の表示状態に戻す表示制御手段と、
を備えたことを特徴とする画像処理装置。
【請求項２】
コピー機能を備え、
前記判定手段は、前記第１画面が前記コピー機能を使用する際のトナーに関する設定画面であり、前記第２画面が前記トナーと関連する情報を表示する画面である場合は、前記第１画面と前記第２画面に相関があると判定し、前記第２画面が前記トナーと関連しない情報を表示する画面である場合は、相関がないと判定する請求項１に記載の画像処理装置。
【請求項３】
原稿の読み取りにより得られたされた画像データをネットワークを介して所定宛先に送信するスキャン送信機能を備え、
前記判定手段は、前記第１画面が前記スキャン送信機能に関する設定画面であり、前記第２画面がネットワークのエラーと関連する情報を表示する画面である場合は、前記第１画面と前記第２画面に相関があると判定し、前記第２画面がスキャン送信機能と関連しない情報を表示する画面である場合は、相関がないと判定する請求項１に記載の画像処理装置。
【請求項４】
ファクシミリ機能を備え、
前記判定手段は、前記第１画面がファクシミリ通信に関する設定画面であり、前記第２画面が前記ファクシミリの通信エラーと関連する情報を表示する画面である場合は、前記第１画面と前記第２画面に相関があると判定し、前記第２画面が前記ファクシミリ通信と関連しない情報を表示する画面である場合は、相関がないと判定する請求項１に記載の画像処理装置。
【請求項５】
可搬性記憶媒体の接続手段を備えるとともに、前記接続手段に接続された前記可搬性記憶媒体へ原稿の読み取りにより得られた画像データを格納させ、または前記可搬性記憶媒体に格納されたデータを読み出して印刷する機能を備え、
前記判定手段は、前記第１画面が前記機能を使用する際の設定画面であり、前記第２画面が前記可搬性記憶媒体の接続エラーと関連する情報を表示する画面である場合は、前記第１画面と前記第２画面に相関があると判定し、前記第２画面が前記機能と関連しない情報を表示する画面である場合は、相関がないと判定する請求項１に記載の画像処理装置。
【請求項６】
タッチ操作可能な表示手段であって、第１画面と、該第１画面よりも小さく表示され、ユーザーによる画面上のスライドイン操作により開かれて情報を表示する第２画面とを表示可能な表示手段と、前記第１画面と前記第２画面の画面内容に相関があるかどうかを予め規定した参照情報を記憶する記憶手段と、を備えた画像処理装置で実行される画面表示制御方法であって、
前記表示手段に表示された前記第１画面と前記第２画面の相関の有無を、前記記憶手段に記憶された参照情報に基づいて判定する判定ステップと、
前記判定ステップにより、前記第１画面と前記第２画面に相関があると判定された場合は、前記第２画面のスライドイン操作が途中で解除された場合も前記第２画面を開いて表示し、相関がないと判定された場合は、前記第２画面のスライドイン操作が解除されると、前記第２画面をスライドイン操作前の表示状態に戻す表示制御ステップと、
を備えたことを特徴とする画面表示制御方法。
【請求項７】
タッチ操作可能な表示手段であって、第１画面と、該第１画面よりも小さく表示され、ユーザーによる画面上のスライドイン操作により開かれて情報を表示する第２画面とを表示可能な表示手段と、前記第１画面と前記第２画面の画面内容に相関があるかどうかを予め規定した参照情報を記憶する記憶手段と、を備えた画像処理装置のコンピュータに、
前記表示手段に表示された前記第１画面と前記第２画面の相関の有無を、前記記憶手段に記憶された参照情報に基づいて判定する判定ステップと、
前記判定ステップにより、前記第１画面と前記第２画面に相関があると判定された場合は、前記第２画面のスライドイン操作が途中で解除された場合も前記第２画面を開いて表示し、相関がないと判定された場合は、前記第２画面のスライドイン操作が解除されると、前記第２画面をスライドイン操作前の表示状態に戻す表示制御ステップと、
を実行させるための画面表示制御プログラム。
【発明の詳細な説明】
【技術分野】
【０００１】
この発明は、多機能デジタル画像形成装置であるＭＦＰ（Multi Function Peripherals）等の画像処理装置、同装置で実行される画面表示制御方法及び画面表示制御プログラムに関する。
【背景技術】
【０００２】
操作パネルの表示部に操作画面を表示すると共に、画面内の例えば上端部に帯状のステータスビュー等を表示した画像処理装置が知られている。ユーザーはこのステータスビュー表示部をスライドイン操作することにより、ステータスビュー表示部を引き出し表示領域を拡大して画面を開き、装置の状態等に関する詳細な情報を確認することができるようになっている。
【０００３】
このステータスビュー表示部をユーザーがスライドイン操作するときに、途中で操作を解除したときの取り扱いとして、操作解除時の指の位置が画面のスライド方向の中央を超えていれば、最後まで自動スライドインして、ステータスビュー表示部の表示領域を拡大して画面を開き、操作解除時の指の位置が中央を越えていなければ、ステータスビュー表示部をスライドイン操作前の表示状態に戻すことが考えられる。
【０００４】
しかし、この場合は後述するような問題がある。
【０００５】
なお、特許文献１には、操作し易いように操作画面をスライドインさせるユーザーインタフェースを備えた画像処理装置が提案されている。具体的には、第１画面を前記操作パネルに表示させる画面表示処理部と、前記操作パネルによる操作に呼応して、表示面の一端から他端へ向かうスライド方向における配置位置が異なる複数の操作キーを有した第２画面を、前記スライド方向に沿って移動するように前記第１画面上にスライドインさせるスライドイン表示処理部と、前記第２画面のスライドインの進行中に予め定められた停止条件に該当する状態変化が生じたとき、スライドインの進行を停止させるスライドイン制御部と、前記複数の操作キーのうちの少なくとも一つが表示された状態において、表示されている操作キーによる操作を受け付ける入力処理部と、を備え、第２画面の一部のみがスライドインした段階でスライドインの進行を停止させ、かつスライドインの進行が停止した状態で表示されている第２画面内の操作キーの操作が有効となるユーザーインタフェースを実現するというものである。
【先行技術文献】
【特許文献】
【０００６】
【特許文献１】特開２０１２−１０３６０２号公報
【発明の概要】
【発明が解決しようとする課題】
【０００７】
即ち、スライドイン操作により開かれたステータスビュー表示部に表示される情報が、操作中のベース画面と直接関係がある場合であっても、ステータスビュー表示部を真ん中より少ない位置まで引き出して手離した場合、ステータスビュー表示部がスライドイン操作前の表示状態に戻ってしまい、表示してほしい画面がすぐ表示されなくなり、再度のスライドイン操作が必要になるという問題がある。
【０００８】
例えば、カラーモードを設定する画面でカラーを設定したときに、トナーエンプティマークが表示されていたので、詳細情報を知るためステータスビュー表示部を画面の真ん中手前までスライドイン操作してリリース（解除）したところ、ステータスビュー表示部が元に戻ってしまい、見たい情報を見ることができず、再度スライドイン操作する必要があった。
【０００９】
逆に、ステータスビュー表示部に表示される情報は操作中ｋベース画面と直接関係がなく、ユーザーがステータスビュー表示部の画面を開きたくなくても、ステータスビュー表示部を真ん中を超えて引き出して手離すと、ステータスビュー表示部の画面が開いてしまい、操作に影響を与えるという問題がある。
【００１０】
例えば、カラーモードを設定する画面でカラーを設定したときに、ネットワーク接続エラーマークが表示されていたため、ステータスビュー表示部をスライドイン操作したが、ステータスビュー表示部を画面の真ん中を超えるまで操作して関係のない表示であることに気づき、スライドイン操作をリリースしたが、ステータスビュー表示部が開いてしまうという場合である。
【００１１】
しかも、一旦画面が開かれるとこれを閉じるための操作が必要になり、操作ステップが増える、という問題もある。
【００１２】
なお、上述の特許文献１に記載の技術は、スライドインの進行を停止させて、ユーザーの手の移動量を低減して操作を効率化するための技術であり、上記のような問題に対する解決策を提供しうるものではなかった。
【００１３】
この発明は、このような問題を解消するためになされたものであって、ステータスビュー表示部等の第２画面に対してユーザーが行ったスライドイン操作が途中で解除された場合に、第２画面を開くか否かをユーザーの意図に応じて的確に制御することができる画像処理装置、画面表示制御方法及び画面表示制御プログラムを提供することを課題とする。
【課題を解決するための手段】
【００１４】
上記課題は、以下の手段によって解決される。
（１）タッチ操作可能な表示手段であって、第１画面と、該第１画面よりも小さく表示され、ユーザーによる画面上のスライドイン操作により開かれて情報を表示する第２画面とを表示可能な表示手段と、前記第１画面と前記第２画面の画面内容に相関があるかどうかを予め規定した参照情報を記憶する記憶手段と、前記表示手段に表示された前記第１画面と前記第２画面の相関の有無を、前記記憶手段に記憶された参照情報に基づいて判定する判定手段と、前記判定手段により、前記第１画面と前記第２画面に相関があると判定された場合は、前記第２画面のスライドイン操作が途中で解除された場合も前記第２画面を開いて表示し、相関がないと判定された場合は、前記第２画面のスライドイン操作が解除されると、前記第２画面をスライドイン操作前の表示状態に戻す表示制御手段と、を備えたことを特徴とする画像処理装置。
（２）コピー機能を備え、前記判定手段は、前記第１画面が前記コピー機能を使用する際のトナーに関する設定画面であり、前記第２画面が前記トナーと関連する情報を表示する画面である場合は、前記第１画面と前記第２画面に相関があると判定し、前記第２画面が前記トナーと関連しない情報を表示する画面である場合は、相関がないと判定する前項１に記載の画像処理装置。
（３）原稿の読み取りにより得られたされた画像データをネットワークを介して所定宛先に送信するスキャン送信機能を備え、前記判定手段は、前記第１画面が前記スキャン送信機能に関する設定画面であり、前記第２画面がネットワークのエラーと関連する情報を表示する画面である場合は、前記第１画面と前記第２画面に相関があると判定し、前記第２画面がスキャン送信機能と関連しない情報を表示する画面である場合は、相関がないと判定する前項１に記載の画像処理装置。
（４）ファクシミリ機能を備え、前記判定手段は、前記第１画面がファクシミリ通信に関する設定画面であり、前記第２画面が前記ファクシミリの通信エラーと関連する情報を表示する画面である場合は、前記第１画面と前記第２画面に相関があると判定し、前記第２画面が前記ファクシミリ通信と関連しない情報を表示する画面である場合は、相関がないと判定する前項１に記載の画像処理装置。
（５）可搬性記憶媒体の接続手段を備えるとともに、前記接続手段に接続された前記可搬性記憶媒体へ原稿の読み取りにより得られた画像データを格納させ、または前記可搬性記憶媒体に格納されたデータを読み出して印刷する機能を備え、前記判定手段は、前記第１画面が前記機能を使用する際の設定画面であり、前記第２画面が前記可搬性記憶媒体の接続エラーと関連する情報を表示する画面である場合は、前記第１画面と前記第２画面に相関があると判定し、前記第２画面が前記機能と関連しない情報を表示する画面である場合は、相関がないと判定する前項１に記載の画像処理装置。
（６）タッチ操作可能な表示手段であって、第１画面と、該第１画面よりも小さく表示され、ユーザーによる画面上のスライドイン操作により開かれて情報を表示する第２画面とを表示可能な表示手段と、前記第１画面と前記第２画面の画面内容に相関があるかどうかを予め規定した参照情報を記憶する記憶手段と、を備えた画像処理装置で実行される画面表示制御方法であって、前記表示手段に表示された前記第１画面と前記第２画面の相関の有無を、前記記憶手段に記憶された参照情報に基づいて判定する判定ステップと、前記判定ステップにより、前記第１画面と前記第２画面に相関があると判定された場合は、前記第２画面のスライドイン操作が途中で解除された場合も前記第２画面を開いて表示し、相関がないと判定された場合は、前記第２画面のスライドイン操作が解除されると、前記第２画面をスライドイン操作前の表示状態に戻す表示制御ステップと、を備えたことを特徴とする画面表示制御方法。
（７）タッチ操作可能な表示手段であって、第１画面と、該第１画面よりも小さく表示され、ユーザーによる画面上のスライドイン操作により開かれて情報を表示する第２画面とを表示可能な表示手段と、前記第１画面と前記第２画面の画面内容に相関があるかどうかを予め規定した参照情報を記憶する記憶手段と、を備えた画像処理装置のコンピュータに、前記表示手段に表示された前記第１画面と前記第２画面の相関の有無を、前記記憶手段に記憶された参照情報に基づいて判定する判定ステップと、前記判定ステップにより、前記第１画面と前記第２画面に相関があると判定された場合は、前記第２画面のスライドイン操作が途中で解除された場合も前記第２画面を開いて表示し、相関がないと判定された場合は、前記第２画面のスライドイン操作が解除されると、前記第２画面をスライドイン操作前の表示状態に戻す表示制御ステップと、を実行させるための画面表示制御プログラム。
【発明の効果】
【００１５】
前項（１）に記載の発明によれば、タッチ操作可能な表示手段であって、第１画面と、該第１画面よりも小さく表示され、ユーザーによる画面上のスライドイン操作により開かれて情報を表示する第２画面の画面内容に相関があるかどうかが判定され、相関があると判定された場合は、第２画面のスライドイン操作が途中で解除された場合も第２画面を開いて表示し、相関がないと判定された場合は、第２画面のスライドイン操作が解除されると、第２画面をスライドイン操作前の表示状態に戻す。
【００１６】
つまり、第１画面と第２画面の画面内容に相関がある場合は、第２画面の表示内容はユーザーにとって有益であり見たいと考えられることから、スライドイン操作が途中で解除された場合であっても、スライドイン操作が正常に行われた場合と同様に、第２画面を開いて表示する。一方、相関がない場合は、ユーザーにとって有益でなく見たいと思わないと考えられることから、第２画面のスライドイン操作が解除されると、第２画面をスライドイン操作前の表示状態に戻すことにより、無駄な画面の表示をなくすとともに、一旦開いた画面を閉じるための操作は不要となり、操作性が良くなる。
【００１７】
前項（２）に記載の発明によれば、第１画面が前記コピー機能を使用する際のトナーに関する設定画面であり、第２画面が前記トナーと関連する情報を表示する画面である場合は、第１画面と前記第２画面に相関があると判定され、第２画面が前記トナーと関連しない情報を表示する画面である場合は、相関がないと判定される。
【００１８】
前項（３）に記載の発明によれば、第１画面がスキャン送信機能に関する設定画面であり、第２画面がネットワークのエラーと関連する情報を表示する画面である場合は、第１画面と第２画面に相関があると判定され、第２画面がスキャン送信機能と関連しない情報を表示する画面である場合は、相関がないと判定される。
【００１９】
前項（４）に記載の発明によれば、第１画面がファクシミリ通信に関する設定画面であり、第２画面が前記ファクシミリの通信エラーと関連する情報を表示する画面である場合は、第１画面と前記第２画面に相関があると判定され、第２画面がファクシミリ通信と関連しない情報を表示する画面である場合は、相関がないと判定される。
【００２０】
前項（５）に記載の発明によれば、第１画面が、接続手段に接続された可搬性記憶媒体へ原稿の読み取りにより得られた画像データを格納させ、または可搬性記憶媒体に格納されたデータを読み出して印刷する機能を使用する際の設定画面であり、第２画面が可搬性記憶媒体の接続エラーと関連する情報を表示する画面である場合は、第１画面と第２画面に相関があると判定され、第２画面が前記機能と関連しない情報を表示する画面である場合は、相関がないと判定される。
【００２１】
前項（６）に記載の発明によれば、第１画面と第２画面の画面内容に相関がある場合は、スライドイン操作が途中で解除された場合であっても、第２画面が開いて表示される一方、相関がない場合は、第２画面のスライドイン操作が解除されると、第２画面をスライドイン操作前の表示状態に戻すことにより、無駄な画面の表示をなくすとともに、一旦開いた画面を閉じるための操作は不要となり、操作性が良くなる。
【００２２】
前項（７）に記載の発明によれば、表示手段に表示された第１画面と第２画面の相関の有無を、記憶手段に記憶された参照情報に基づいて判定する判定ステップと、判定ステップにより、第１画面と前記第２画面に相関があると判定された場合は、第２画面のスライドイン操作が途中で解除された場合も第２画面を開いて表示し、相関がないと判定された場合は、第２画面のスライドイン操作が解除されると、第２画面をスライドイン操作前の表示状態に戻す表示制御ステップと、を画像処理装置のコンピュータに実行させることができる。
【図面の簡単な説明】
【００２３】
【図１】この発明の一実施形態に係る画像処理装置の基本構成を示すブロック図である。
【図２】（ａ）〜（ｃ）は第２の画面に対してスライドイン操作が行われた場合の動作を説明するための一例を示す画面図である。
【図３】（ａ）〜（ｃ）は第２の画面に対してスライドイン操作が行われた場合の動作を説明するための他の例を示す画面図である。
【図４】（ａ）〜（ｃ）は第２の画面に対してスライドイン操作が行われた場合の動作を説明するためのさらに他の例を示す画面図である。
【図５】（ａ）〜（ｃ）は第２の画面に対してスライドイン操作が行われた場合の動作を説明するためのさらに他の例を示す画面図である。
【図６】第１画面と第２画面の相関の有無を規定した参照情報の内容を示す表である。
【図７】画像処理装置の動作を示すフローチャートである。
【発明を実施するための形態】
【００２４】
以下、この発明の実施形態を図面に基づいて説明する。
【００２５】
図１は、この発明の一実施形態に係る画像処理装置１の基本構成を示すブロック図である。この実施形態では、画像処理装置１として、コピー機能、プリンタ機能、スキャン機能等を備えた多機能デジタル画像形成装置である前述のＭＦＰが用いられている。
【００２６】
画像処理装置１は、ＣＰＵ（制御部）１０１と、ＲＯＭ１０２とワークメモリ１０３と、画像読取部１０４と、自動原稿搬送部（ＡＤＦ）１０５と、画像処理部１０６と、プリンタ部１０７と、操作表示部１０８と、不揮発メモリ１０９と、ファクシミリ通信部１１０と、ネットワーク通信部１１１と、ＵＳＢ接続部１１２等を備えている。
【００２７】
前記ＣＰＵ１０１は、画像処理装置１の全体を統括制御し、コピー機能、プリンタ機能、スキャン機能、ファクシミリ機能等の基本機能を使用可能に制御する。また、この実施形態では、操作表示部１０８に表示されたベースとなる操作画面（第１の画面）と、ステータスビュー表示部（第１の画面）の表示内容が相関があるか否かを、後述する参照情報に基づいて判断したり、相関の有無に応じて、ユーザーがステータスビュー表示部をスライドイン操作した時の制御を行うが、詳細は後述する。
【００２８】
ＲＯＭ１０２はＣＰＵ１０１の動作プログラム等を記憶するメモリである。また、ワークメモリ１０３は、ＣＰＵ１０１がＲＯＭ１０２に格納された動作プログラムに従って動作する時の作業領域を提供するメモリである。
【００２９】
画像読取部１０４は、原稿台（図示せず）に置かれた原稿やＡＤＦと称される自動原稿搬送部１０５により連続的に搬送される原稿の画像を読み取り、画像データに変換する。
【００３０】
画像処理部１０６は、画像読取部１０４により読み取られた原稿の画像データ等に所定の画像処理を実施する。また、プリンタ部１０７は、前記画像データやユーザ端末からのプリントデータ等を、指定されたモードに従って印刷するものである。
【００３１】
操作表示部１０８はタッチパネルを備えた液晶装置等から構成される表示部であり、操作画面やユーザーに対するメッセージ、装置の状態等を画面に表示する。また、タッチパネルによりユーザーはタッチ操作が可能であり、またスライドイン操作等のジェスチャー操作も可能となっている。
【００３２】
不揮発メモリ１０９は、例えばハードディスク装置（ＨＤＤ）などの不揮発性の記憶デバイスにより構成されており、画像読取部１０４で読み取られた画像データや他の画像形成装置あるいはユーザー端末等から送信されてきたデータ、各種のアプリケーション等が記憶される。
【００３３】
ファクシミリ通信部１１０は、ファクシミリによるデータの送受信を制御するものであり、ネットワーク通信部１１１は、ネットワーク上の他の画像形成装置や、その他の外部機器例えばユーザー端末等との間での通信を制御することにより、データの送受信を行うものである。
【００３４】
ＵＳＢ接続部１１２はＵＳＢ機器を接続するための部分であり、このＵＳＢ接続部１１２を介して可搬性記憶媒体の一例であるＵＳＢメモリの接続が可能となっている。
【００３５】
図１に示した画像処理装置１のコピー機能、ファクシミリ機能等の各機能をユーザーが使用する時は、各機能に対応した操作画面が操作表示部１０８に表示される。
【００３６】
例えばユーザーがコピーを行う場合は、図２（ａ）に示すように、操作表示部１０８にはコピージョブの設定を行うための第１画面である操作画面１０８０ａが表示されるとともに、この実施形態では、画面の上端部に、幅細で左右に長い帯状の第２画面としてのステータスビュー表示部１０８０ｂが表示される構成となっている。このステータスビュー表示部１０８０ｂには、画像形成装置１の状態が変化した時、例えばトナーエンプティや、エラー等のイベントが発生した時に、そのことを示すアイコンが表示される。
【００３７】
また、ユーザーが図２（ａ）に示すように、ステータスビュー表示部１０８０ｂを指でタッチして下方Ｘ方向にスライドイン操作を行うと、図２（ｂ）に示すように、ステータスビュー表示部１０８０ｂが下方に引き出されて表示領域が徐々に拡大していき、画面の上下方向の中央部付近を越えてスライドさせると、図８（ｃ）に示すように、ステータスビュー表示部１０８０ｂが開いて画面１０８０ｃが表示される。
【００３８】
しかし、ステータスビュー表示部１０８０ｂの表示内容は、必ずしも現在表示されている操作画面の内容に関連するとは限らない。このため、ステータスビュー表示部１０８０ｂを図２（ｃ）のように開いても、現在の操作画面に関係ない内容であれば、ユーザーにとっては無駄となるうえ、画面を閉じるための余分な操作も必要となる。
【００３９】
一方、現在の操作画面に関係があっても、スライドイン操作による移動距離が不十分な場合は、スライドイン操作をリリース（解除）すると、引き出されたステータスビュー表示部１０８０ｂが引き戻されてスライドイン操作前の状態に戻ってしまい、ユーザーにとっては再度スライドイン操作を行わなければならず不便である。
【００４０】
そこで、この実施形態では、操作画面１０８０ａとステータスビュー表示部１０８０ｂの表示内容に相関がある場合は、スライドイン操作が途中で解除されても、ステータスビュー表示部１０８０ｂを開き、相関がない場合は十分なスライドイン操作が行われても、スライドイン操作が解除された時点でステータスビュー表示部１０８０ｂをスライドイン操作前の状態に戻す制御が行われる。
【００４１】
具体的には、図２（ａ）のように、コピー機能を使用するためにカラーモード設定の操作画面１０８０ａが表示されている時に、ステータスビュー表示部１０８０ｂにトナーエンプティの警告アイコン２００が表示されたとする。
【００４２】
ユーザーが警告の内容を確認するため、ステータスビュー表示部１０８０ｂに対してスライドイン操作を実施したとき、図２（ｂ）に示すように、画面の上下方向の中央部付近までスライドイン操作することなく、リリースしたとする。
【００４３】
しかし、現在の操作画面１０８０ａはコピー機能におけるカラーモードの設定画面であり、ステータスビュー表示部１０８０ｂに表示されている内容はトナーに関するものであって、両者は相関がある。このため、途中でリリースされたとしても、図２（ｃ）に示すように、ステータスビュー表示部１０８０ｂが開かれて、詳細な情報の表示画面１０８０ｃが表示される。もちろん、十分なスライドイン操作を行った場合は当然に、ステータスビュー表示部１０８０ｂは開かれる。
【００４４】
また、図３（ａ）に示すように、コピー機能を使用するためにカラーモード設定の操作画面１０８１ａが表示されている時に、ステータスビュー表示部１０８１ｂにペーパーエンプティの警告アイコン２０１が表示されたとする。
【００４５】
ユーザーが警告の内容を確認するため、ステータスビュー表示部１０８１ｂに対してスライドイン操作を実施したとき、図３（ｂ）に示すように、画面の上下方向の中央部付近までスライドイン操作することなく、リリースしたとする。
【００４６】
しかし、現在の操作画面１０８１ａはコピー機能におけるカラーモードの設定画面であり、ステータスビュー表示部１０８１ｂに表示されている内容はペーパーエンプティに関するものであって、両者は相関がある。このため、途中でリリースされたとしても、図３（ｃ）に示すように、ステータスビュー表示部１０８１ｂが開かれて、詳細な情報の表示画面１０８１ｃが表示される。
【００４７】
また、図４（ａ）に示すように、コピー機能を使用するためにステープルモードのオン・オフの設定の操作画面１０８２ａが表示されている時に、ステータスビュー表示部１０８２ｂにステープルエンプティの警告アイコン２０２が表示されたとする。
【００４８】
ユーザーが警告の内容を確認するため、ステータスビュー表示部１０８２ｂに対してスライドイン操作を実施したとき、図４（ｂ）に示すように、画面の上下方向の中央部付近までスライドイン操作することなく、リリースしたとする。
【００４９】
しかし、現在の操作画面１０８２ａはコピー機能におけるステープルモードの設定画面であり、ステータスビュー表示部１０８２ｂに表示されている内容はステープルエンプティに関するものであって、両者は相関がある。このため、途中でリリースされたとしても、図４（ｃ）に示すように、ステータスビュー表示部１０８２ｂが開かれて、詳細な情報の表示画面１０８２ｃが表示される。
【００５０】
このように、現在の操作画面とステータスビュー表示部の画面内容に相関がある場合は、ステータスビュー表示部の表示内容はユーザーにとって有益であり見たいと考えられることから、スライドイン操作が途中で解除された場合であっても、スライドイン操作が正常に行われた場合と同様に、ステータスビュー表示部を開いて表示する。
【００５１】
これに対し、図５（ａ）に示すように、コピー機能を使用するためにカラーモードの設定の操作画面１０８３ａが表示されている時に、ステータスビュー表示部１０８３ｂにネットワークの警告アイコン２０１が表示されたとする。
【００５２】
ユーザーが警告の内容を確認するため、ステータスビュー表示部１０８３ｂに対してスライドイン操作を実施したとき、図５（ｂ）に示すように、画面の上下方向の中央部付近を超えてスライドイン操作して、リリースしたとする。
【００５３】
しかし、現在の操作画面１０８３ａはコピー機能におけるカラーモードの設定画面であり、ステータスビュー表示部１０８３ｂに表示されている内容はネットワーク警告に関するものであって、両者は相関がない。このため、途中でリリースされると、図５（ｃ）に示すように、ステータスビュー表示部１０８３ｂはスライドイン操作前の元の状態に戻り、詳細な情報の表示画面が開かれることはない。
【００５４】
このため、ユーザーにとって見る必要のない画面が無駄に表示されたり、画面を閉じるために余分な操作が必要となるといった不都合を回避でき、操作性の良いものとなる。
【００５５】
操作画面とステータスビュー表示部の表示内容に相関があるかどうかは、画像形成装置１の管理者等により予め設定されており、参照情報として不揮発メモリ１０９等に記憶されている。
【００５６】
ＣＰＵは、この参照情報に基づいて、操作画面とステータスビュー表示部に相関があるか無いかを判定する。
【００５７】
図６は、図２〜図５で説明したような相関関係以外に、相関の有無を規定した参照情報の一例を示す。図６の例では、コピー操作画面に対して、スライドイン（開く）するステータスビュー表示部の表示内容として、トナーニアエンプティ、廃トナーニアフル、ペーパーニアエンプティ、プリント（ＰＲＴ）関連異常警告、読み取り（ＩＲ）関連異常警告などが相関有りに設定されている。一方、メールサーバーへのログイン失敗、タイムアウトしまし警告等を示す内容の場合は、相関がなくスライドアウトする（元の表示状態に戻る）設定となっている。
【００５８】
また、画像読取部１０４により得られたされた画像データをファクシミリ送信したり、ネットワークを介して所定宛先に送信するスキャン送信機能（図６ではＦＡＸＳＣＡＮ操作と記している）に関する設定画面に対して、ステータスビュー表示部の表示内容が、ファクシミリやネットワークのエラーと関連する情報を表示する場合は、相関有り（スライドインする）と設定され、ファクシミリやスキャン送信機能と関連しない情報を表示する画面である場合は、相関無し（スライドアウトする）と設定されている。
【００５９】
また、ＵＳＢ接続部１１２に接続されたＵＳＢメモリへ画像読取部１０４により読み取られた画像データを格納させ、またはＵＳＢメモリに格納されたデータを読み出して印刷する機能（図６ではＵＳＢＢＯＸ操作と記している）に関する設定画面に対して、ステータスビュー表示部の表示内容が、ＵＳＢメモリの接続エラーと関連する情報を表示する場合は、相関有り（スライドインする）と設定され、上記機能と関連しない情報を表示する場合は、相関無し（スライドアウトする）と設定されている。
【００６０】
図７は、スライドイン操作が行われた時に画像形成装置１の動作を示すフローチャートである。この動作は、ＣＰＵ１０１がＲＯＭ１０２等に記憶された動作プログラムに従って動作することにより実行される。
【００６１】
ステップＳ７０１で、警告が発生したかどうかを判断する。警告が発生しなければ（ステップＳ７０１でＮＯ）、警告発生まで何もしない。警告が発生した場合（ステップＳ７０１でＹＥＳ）、ステップＳ７０２に進む。なお、警告が発生すると、ステータスビュー表示部に警告アイコンが表示される。
【００６２】
ステップＳ７０２では、ユーザーによるスライドイン操作が行われたことを検知したのち、ステップＳ７０３で、スライドイン操作の途中でリリース（操作解除）されたことを検知する。
【００６３】
すると、ステップＳ７０４で、操作画面（第１画面）とステータスビュー表示部（第２画面）の表示内容に相関があるか否かを、図６に例示した参照情報に基づいて判定する。相関があれば（ステップＳ７０４でＹＥＳ）、ステップＳ７０５で、第２画面を開いて表示する。相関がなければ（ステップＳ７０４でＮＯ）、ステップＳ７０６で、第２画面を自動スライドアウトさせ開かない。
【符号の説明】
【００６４】
１      画像処理装置
１０１  ＣＰＵ
１０２  ＲＯＭ
１０４  画像読取部
１０７  プリンタ部
１０８  操作表示部
１０９  不揮発メモリ
１１１  ネットワーク通信部
１１２  ＵＳＢ接続部
【図１】
0005943012.tif 000002
【図２】
0005943012.tif 000003
【図３】
0005943012.tif 000004
【図４】
0005943012.tif 000005
【図５】
0005943012.tif 000006
【図６】
0005943012.tif 000007
【図７】
0005943012.tif 000008